(57)【要約】【課題】粉塵が多い場所であっても故障しにくい簡易な構成を有する車両輪止装置を提供する。【解決手段】車両輪止装置１は、車両の車輪６ａ，６ｂをレール５上で制止させる。車両輪止装置１は、車輪接触部位２ａと、レール５の上面に配置されるレール接触部位２ｂと、を有するレール上ブロック部材２と、レール５の側面側で固定されている動作規制部材３と、レール上ブロック部材２に接続し、かつ、動作規制部材３を収容可能である内部空間７を有する被動作規制部材４と、を備える。【選択図】            図１
2014054887.tif 000002
【特許請求の範囲】
【請求項１】
車両の車輪をレール上で制止させる車両輪止装置であって、
車輪接触部位と、前記レールの上面に配置されるレール接触部位と、を有するレール上ブロック部材と、
前記レールの側面側で固定されている動作規制部材と、
前記レール上ブロック部材と接続し、かつ、前記動作規制部材を収容可能である内部空間を有する被動作規制部材と、を備えることを特徴とする車両輪止装置。
【請求項２】
前記動作規制部材は、前記レールの側面に固定されていることを特徴とする請求項１に記載の車両輪止装置。
【請求項３】
前記動作規制部材は、前記レールの側面側の地面に固定されていることを特徴とする請求項１または請求項２に記載の車両輪止装置。
【請求項４】
請求項１ないし請求項３のいずれかに記載の車両輪止装置を、前記動作規制部材が前記内部空間に収容されるように、前記レールの側面側から前記動作規制部材に向けて移動させて、前記レールに設定することを特徴とする車両輪止方法。
【発明の詳細な説明】
【技術分野】
【０００１】
本発明は、鉄道車両の車輪をレール上で制止させる車両輪止装置、及び、その車両輪止装置を用いた車両輪止方法に関する。
【背景技術】
【０００２】
製鉄所では、複数のレールが敷設されており、該レール上を、溶銑を収容する溶銑鍋が積載される車両が走行している。前記製鉄所内の製鋼工場では、レール上の車両に積載される溶銑鍋が収容する溶銑中の不純物を除去するために、その溶銑に対して精錬が行なわれる。この精錬では、不純物と反応して該不純物を除去するための添加剤（精錬剤）を溶銑に添加して、次いで、この溶銑を攪拌することで、添加剤と不純物との反応を促進させている。溶銑を攪拌する際には、上方から溶銑鍋を囲む集塵フードで、溶銑鍋からの排気を回収しつつ、溶銑にインペラを浸漬させて、この溶銑中でインペラを回転させている。
【０００３】
インペラの回転に伴って、振動が溶銑鍋に発生し、その振動が車両に伝わる。この振動によって車両が移動することで、溶銑鍋が集塵フードに衝突してしまい、その集塵フードが破損し得る。この集塵フードが破損した場合には、排気を回収できず、精錬処理の操業を停止する必要がある。このため、車両の車輪をレール上で制止させる車両輪止装置を用いる。
【０００４】
鉄道車両の車輪止め装置として、例えば、特許文献１には、車輪止めアームの先端に、レール上面及び車輪の踏づらが形成する隅部に嵌まる楔を設け、ヒンジピンの軸線を前記隅部の前方若しくは側方へ前下りに傾斜させて、アームの先端の楔がレール上の車輪止め位置とレール側方の退避位置との間で前記隅部の前方若しくは側方へ前上がりに傾斜した平面上を移動するようにした鉄道車両の車輪止め装置が提案されている。しかしながら、この車輪止め装置は駆動部分を複数有しているため、粉塵が多い製鉄所で用いると、破損しやすいという問題を有する。
【先行技術文献】
【特許文献】
【０００５】
【特許文献１】特開平６−５７９９６号公報
【発明の概要】
【発明が解決しようとする課題】
【０００６】
本発明は、上述の問題に鑑みてなされたもので、その目的とするところは、製鉄所のような粉塵が多い場所であっても故障しにくい簡易な構成を有する車両輪止装置、及び、この車両輪止装置を用いて、簡便に、車輪を制止させる車両輪止方法を提供することである。
【課題を解決するための手段】
【０００７】
上記課題を解決するための本発明の要旨は以下のとおりである。
（１）車両の車輪をレール上で制止させる車両輪止装置であって、車輪接触部位と、前記レールの上面に配置されるレール接触部位と、を有するレール上ブロック部材と、前記レールの側面側で固定されている動作規制部材と、前記レール上ブロック部材と接続し、かつ、前記動作規制部材を収容可能である内部空間を有する被動作規制部材と、を備えることを特徴とする車両輪止装置。
（２）前記動作規制部材は、前記レールの側面に固定されていることを特徴とする上記（１）に記載の車両輪止装置。
（３）前記動作規制部材は、前記レールの側面側の地面に固定されていることを特徴とする上記（１）または上記（２）に記載の車両輪止装置。
（４）上記（１）ないし（３）のいずれかに記載の車両輪止装置を、前記動作規制部材が前記内部空間に収容されるように、前記レールの側面側から前記動作規制部材に向けて移動させて、前記レールに設定することを特徴とする車両輪止方法。
【発明の効果】
【０００８】
本発明の車両輪止装置は、製鉄所のような粉塵の多い場所であっても、故障しにくい簡易な構成を有するため、長期間に亘り修理する手間を省くことが可能となる。更には、この車両輪止装置を用いた車両輪止方法によって、レール上で車輪を制止させるように、この車両輪止装置をレールに簡便に設定することが可能となる。
【図面の簡単な説明】
【０００９】
【図１】本発明に係る車両輪止装置の概略側面図である。
【図２】図１におけるII−II線概略断面図である。
【図３】図２に示す形態とは別の例の、図１におけるII−II線概略断面図である。
【図４】本発明に係る車両輪止方法の説明図である。
【発明を実施するための形態】
【００１０】
以下、添付図面を参照して、本発明に係る車両輪止装置を具体的に説明する。図１は、車両輪止装置の概略側面図であり、図２は、図１におけるII−II線概略断面図である。車両輪止装置１は、車輪接触部位２ａとレール接触部位２ｂとを有するレール上ブロック部材２、動作規制部材３、及び、被動作規制部材４、を備える。レール上ブロック部材２は、車両（図示せず）の２つの車輪６ａ及び車輪６ｂの間に配置されており、車輪６ａ，６ｂが、レール５上を移動することにより、車輪接触部位２ａに接触して、該車輪接触部位２ａに、車両の移動による力が掛かる。車輪接触部位２ａとレール接触部位２ｂとはレール上ブロック部材２の一部であるため、車輪接触部位２ａに掛かる力はレール接触部位２ｂにも掛かる。
【００１１】
図１及び図２に示すように、レール上ブロック部材２及び被動作規制部材４を貫通する貫通穴を設けて、該貫通穴にボルトを挿入し、レール上ブロック部材２及び被動作規制部材４との側面で、このボルトをナットで締め付けて、レール上ブロック部材２を被動作規制部材４に接続している。これにより、レール上ブロック部材２に掛かる力（車輪接触部位２ａとレール接触部位２ｂとに掛かる力）は、被動作規制部材４にも掛かり、レール上ブロック部材２と被動作規制部材４とは一体的に動作（移動）する。
【００１２】
動作規制部材３は、レール５の側面側で固定される。具体的には、図２に示すように、レール５のウエブ部分及び動作規制部材３を貫通する貫通穴を設け、該貫通穴にボルトを挿入し、前記レール５のウエブ面及び前記動作規制部材３の側面で、ボルトをナットで締め付けて、動作規制部材を、前記レール５の側面に固定することが好ましい。被動作規制部材４は、下方に開口している逆「Ｕ」字形状の部分を有しており、動作規制部材３が、この逆「Ｕ」字形状の内部空間７に収容される。また、被動作規制部材４は、内部空間７を形成する下面４ａの、レール５に沿った方向における両端部から下方に突出する突出部４ｂ，４ｃを有する。車輪６ａ，６ｂが、図１の矢線Ａ方向または矢線Ｂ方向に移動すると、この突出部４ｂ，４ｃが、動作規制部材３に当接して被動作規制部材４の動きを規制する。動作規制部材３が内部空間７に収容される形態としては、動作規制部材３が、クリアランス１０を持って前記内部空間７に嵌合することが好ましい。
【００１３】
車両が、矢線Ａ方向に移動すると、車輪６ａが、左側の車輪接触部位２ａに接触して、レール上ブロック部材２を矢線Ａ方向に移動させようとする力が、該レール上ブロック部材２に掛かる。しかしながら、図２に示すように、レール接触部位２ｂはレール５の上面に接触しているため、このレール接触部位２ｂには、矢線Ｂ方向に摩擦力が生じるため、この摩擦力がレール上ブロック部材２に掛かる。更には、前述の通り、被動作規制部材４の動きが規制されるため、この規制と摩擦力との両方によって、矢線Ａ方向に掛かる力に抗して、レール上ブロック部材２が、配置されている位置に止まる。
【００１４】
図３は、図２に示す形態とは別の例の、図１におけるII−II線概略断面図である。本発明は図２に示す形態に限られず、例えば、図３に示すように、下方に延びた下方延長部分１１を有するように、動作規制部材３を作製して、その下方延長部分１１を地面に埋めることで、動作規制部材３をレール５の一方の側面側の地面で固定してもよい。図３に示す形態では、動作規制部材３をレール５の一方の側面に固定しているが、下方延長部分１１を地面に埋めるだけで、動作規制部材３をレール５の側面側に固定してもよく、必ずしも、動作規制部材３をレール５の側面に接触させる必要はない。
【００１５】
動作規制部材３が、レール５の側面側で、かつ、レール接触部位２ｂの直下に近いほど、動作規制部材３に掛かる力が小さくなる。なぜならば、レール上ブロック部材２に掛かる力の力線は、レール５に平行であり、梃子の原理に基づくと、動作規制部材３がその力線から遠ざかれば動作規制部材３に掛かる力は大きくなり、近づけばその力は小さくなるからである。このため、レール上ブロック部材２の直下で、かつ、レール５の側面の位置は、その力線に近いため、動作規制部材３を配置する位置に適する。
【００１６】
なお、図１に示す実施形態に係る車両輪止装置では、レール上ブロック部材２は、車輪接触部位２ａとレール接触部位２ｂとを一体的に有しているが、本発明の車両輪止装置は、この形態に限られない。例えば、車輪接触部位２ａを有する第１の部材と、レール接触部位２ｂを有し、第１の部材とは別の第２の部材とからなるように、レール上ブロック部材を構成してもよい。
【００１７】
以上に説明した本発明の車両輪止装置は、製鉄所のような粉塵の多い場所であっても、故障のしにくい簡易な構成を有するため、長い期間に亘り修理する手間を省くことができる。
【００１８】
次に、上記の車両輪止装置１を用いて、車両の車輪を制止させる車両輪止方法を説明する。図４は、本発明に係る車両輪止方法の説明図であり、（ａ）は、車両輪止装置１がレール５から離れた退避状態を示し、（ｂ）は、車両輪止装置１をレール５に設定している設定状態を示す説明図である。例えば、製鋼工場などで、車両（図示せず）が止まる所定位置は予め決まっており、該所定位置に基づき、２つの車輪６ａ，６ｂが止まるべき車輪停止位置が決まる。該車輪停止位置を基準にして、レール５の側面に、車両輪止装置１から分離可能な動作規制部材３を設置しておく。
【００１９】
図４（ａ）に示すように、動作規制部材３の側面側の地面に、輪止装置退避設定装置２１を設け、該輪止装置退避設定装置２１には、輪止装置レール２２が設けられている。該輪止装置レール２２上を移動可能であるフレームホイール２３が、フレーム２４に設けられており、該フレーム２４を輪止装置レール２２上に配置しておく。このフレーム２４の前端には、レール接触部位２ｂがレール５の上面より高くなるように、車両輪止装置１が取り付けられており、フレーム２４の後部には、ハンドル２５が取り付けられている。
【００２０】
車両輪止装置１を退避状態から設定状態にするために、作業者が、ハンドル２５を持って、動作規制部材３が内部空間７（図１参照）に収容されるように、フレーム２４（車両輪止装置１）を移動させる。動作規制部材３を内部空間７に収容する形態としては、動作規制部材３を、クリアランス１０を持って内部空間７に嵌合するように、フレーム２４（車両輪止装置１）を移動させることが好ましい。
【００２１】
輪止装置レール２２の先端には、傾斜部２２ａが形成されている。作業者が、レール上ブロック部材２をレール５の上面に載せようとする際に、輪止装置レール２２を走行していたフレームホイール２３が傾斜部２２ａに入ると、車両輪止装置１は、動作規制部材３への方向に移動可能であることは勿論だが、下向きにも移動可能となるため、作業者は、レール接触部位２ｂをレール５の上面に載せやすくなる。
【００２２】
被動作規制部材４の突出部４ｂ，４ｃと、動作規制部材３との間には、クリアランス１０（図１参照）が形成されており、このクリアランス分、被動作規制部材４が、レール５上を矢線Ａ方向または矢線Ｂ方向に動く可能性が生じるため、車両輪止装置１は、同方向に動き得る。しかしながら、このクリアランス１０が存在することで、作業者が、動作規制部材３を内部空間７に収めやすくなっている。このため、車両輪止装置１をレール５に設定するための簡便さを考慮すれば、このクリアランス１０を形成することが好ましい。クリアランス１０の幅は、内部空間７への、動作規制部材３の収まり易さ、及び、車両輪止装置１をレール５に設定した場合の車両の移動許容範囲（車輪６ａ及び車輪６ｂと車輪接触部位２ａとの間隔）を考慮した上で、決めればよい。
【００２３】
以上に説明した車両輪止方法によって、必要な時に応じて、レールに車両輪止装置を簡便に設定することができる。このため、製鋼工場において、溶銑をインペラで攪拌する際に、作業者が、レールに車両輪止装置を適宜素早く設定して、レール上で車輪を制止させることができる。
【符号の説明】
【００２４】
１          車両輪止装置
２          レール上ブロック部材
２ａ        車輪接触部位
２ｂ        レール接触部位
３          動作規制部材
４          被動作規制部材
４ａ        下面
４ｂ，４ｃ  突出部
５          レール
６ａ，６ｂ  車輪
７          内部空間
１０        クリアランス
１１        下方延長部分
２１        輪止装置退避設定装置
２２        輪止装置レール
２２ａ      傾斜部
２３        フレームホイール
２４        フレーム
２５        ハンドル
【図１】
2014054887.tif 000003
【図２】
2014054887.tif 000004
【図３】
2014054887.tif 000005
【図４】
2014054887.tif 000006